(57)【要約】      （修正有）【課題】比較的低いパワーのレーザ光照射で高コントラストの描画を行うことが可能な光情報記録媒体を提供する。【解決手段】第１の透光性基板１１と、第１の透光性基板の一方の面側に記録層１２と半透過反射層１３と反射層１５と色素層１７と保護層１９とをこの順に有し、第１の透光性基板の他方の面側から前記記録層にレーザ光を照射することにより情報を記録及び／又は再生可能な光情報記録媒体２０であって、色素層１７は前記反射層１５に隣接して設けられるとともに、色素層と保護層との間に色素層と隣接して色素層の変形を受容する変形受容層１８を備える。このため、隣接する反射層からの伝熱に色素層が容易に変形して開口を生じることができるので、低いパワーのレーザ光照射においても高コントラストの視覚イメージを描画できる。【選択図】図１
2008186507.tif 000002
【特許請求の範囲】
【請求項１】
第１の透光性基板と、該第１の透光性基板の一方の面側に記録層と半透過反射層と反射層と色素層と保護層とをこの順に有し、前記第１の透光性基板の他方の面側から前記記録層にレーザ光を照射することにより情報を記録及び／又は再生可能な光情報記録媒体において、前記色素層は前記反射層に隣接して設けられるとともに、前記色素層と前記保護層との間に前記色素層と隣接して該色素層の変形を受容する変形受容層を備えることを特徴とする光情報記録媒体。
【請求項２】
前記変形受容層は、前記保護層よりも低い融点を有する透明樹脂材料からなることを特徴とする請求項１記載の光情報記録媒体。
【請求項３】
前記色素層はレーザ光照射による隣接する反射層の発熱により分子構造の変化なしに溶融し、変形することを特徴とする請求項１記載の光情報記録媒体。
【請求項４】
前記色素層はレーザ光照射による隣接する反射層の発熱により前記色素層中の有機物が溶融して該色素層を貫通する開口を生じることにより可視情報が記録されることを特徴とする請求項１記載の光情報記録媒体。
【請求項５】
前記色素層は発熱物質を含有し、レーザ光照射による隣接する反射層の発熱により前記色素層中の発熱物質が発熱することを特徴とする請求項１記載の光情報記録媒体。
【請求項６】
前記色素層はロイコ化合物からなる発色剤と顕色剤とを含有することを特徴とする請求項１記載の光情報記録媒体。
【請求項７】
前記半透過反射層と前記反射層との間に透明な中間層（接着剤層及び／又は第２の透光性基板）を有することを特徴とする請求項１記載の光情報記録媒体。
【発明の詳細な説明】
【技術分野】
【０００１】
本発明は、ディスク状の光情報記録媒体に関し、レーベル面側から視認可能な描画をレーザ光照射によって形成することができる光情報記録媒体に関する。
【背景技術】
【０００２】
ＣＤ−Ｒ、ＤＶＤ±Ｒ、ブルーレイディスク等のディスク状の光情報記録媒体においては、透光性基板の一方の面側に記録層及び反射層を形成した構造を有し、前記基板の他方の面側からレーザ光が照射されて前記記録層にデータ記録されるように構成されている。また、前記光情報記録媒体のレーザ光が照射される面と反対側の面は、通常レーベル面として利用されており、その表面に文字、記号、図形、模様またはこれらの組合せ等が印刷等により表示される。
【０００３】
このような光情報記録媒体として、前記表示をレーザ光照射により行うものが各種提案されている。例えば特許文献１には、レーベル面側にレーザ光照射によって描画が可能な領域（層）を形成した光情報記録媒体が提案されている。具体的には、透明な第１の基板の一方の面側に誘電体層、記録層、誘電体層、反射層を順次成膜し、さらに反射層の上に貼り合わせ接着層によって第２の基板を貼り合わせ、第２の基板の表面には第２の反射層、中間層、可視光特性変化層、保護層が順次積層されている。上記記録層へのデータの記録は第１の基板の他方の面側からレーザ光を記録層に照射することにより行われ、レーベル面側の画像形成は、レーベル面側からレーザ光を可視光特性変化層に照射することにより行われる。また特許文献２には、データを記録する領域の一部を文字や画像を描画する領域に割り当てるものが提案されている。また、図６に示すように、特許文献３には、光透過性の基板１上に電子情報記録層２、反射層３、保護層４、有機物粒子を含有する可視情報記録層５、及びオーバーコート層６をこの順に有し、レーベル面１２５側からレーザ光が照射されることによりレーベル面１２５側から視認可能な描画が施される光情報記録媒体１０１が提案されている。
【０００４】
【特許文献１】特開２００２−２０３３２１号公報
【特許文献２】特開２００３−０５１１１８号公報
【特許文献３】特開２００４−２４７０３１号公報
【発明の開示】
【発明が解決しようとする課題】
【０００５】
しかしながら、上記特許文献１に記載の背景技術においては、描画領域がデータ記録面とは反対側からになるので、描画するときには光情報記録媒体を裏返しすることが不可欠であった。また、上記特許文献２に記載の背景技術においては、データ記録領域の一部を描画に用いるため、データ記録と描画が干渉しないようにする必要があり、データ記録領域及び描画領域が制限されるという課題があった。また、上記特許文献３に記載の背景技術においては、有機物粒子の加熱溶融により透明化させるために、加熱温度のバラツキにより透明化の程度が変動しやすく、コントラストの高い描画が安定して得られにくいという課題があった。  
【０００６】
本発明の目的は、上記課題を解決して、低いパワーのレーザ光照射においても高コントラストの視覚イメージの描画を行うことが可能な光情報記録媒体を提案するものである。
【課題を解決するための手段】
【０００７】
前記目的を達成するため、本発明の光情報記録媒体は、（１）第１の透光性基板と、該第１の透光性基板の一方の面側に記録層と半透過反射層と反射層と色素層と保護層とをこの順に有し、前記第１の透光性基板の他方の面側から前記記録層にレーザ光を照射することにより情報を記録及び／又は再生可能な光情報記録媒体において、前記色素層は前記反射層に隣接して設けられるとともに、前記色素層と前記保護層との間に前記色素層と隣接して該色素層の変形を受容する変形受容層を備えるものである。（・・・以下、本発明の第１の課題解決手段と称する。）  
【０００８】
また、上記光情報記録媒体の主要な形態の一つは、（２）前記変形受容層は、前記保護層よりも低い融点を有する透明樹脂材料からなるものである。（・・・以下、本発明の第２の課題解決手段と称する。）
【０００９】
また、上記光情報記録媒体の他の主要な形態の一つは、（３）前記色素層はレーザ光照射による隣接する反射層の発熱により分子構造の変化なしに溶融し、変形するものである。（・・・以下、本発明の第３の課題解決手段と称する。）
【００１０】
また、上記光情報記録媒体の他の主要な形態の一つは、（４）前記色素層はレーザ光照射による隣接する反射層の発熱により前記色素層中の有機物が溶融して該色素層を貫通する開口を生じることにより可視情報が記録されるものである。（・・・以下、本発明の第４の課題解決手段と称する。）
【００１１】
また、本発明の光情報記録媒体の他の主要な形態の一つは、（５）前記色素層は発熱物質を含有し、レーザ光照射による隣接する反射層の発熱により前記色素層中の発熱物質が発熱するものである。（・・・以下、本発明の第５の課題解決手段と称する。）
【００１２】
また、本発明の光情報記録媒体の他の主要な形態の一つは、（６）前記色素層はロイコ化合物からなる発色剤と顕色剤とを含有するものである。（・・・以下、本発明の第６の課題解決手段と称する。）
【００１３】
また、本発明の光情報記録媒体の他の主要な形態の一つは、（７）前記半透過反射層と前記反射層との間に透明な中間層（接着剤層及び／又は第２の透光性基板）を有するものである。（・・・以下、本発明の第７の課題解決手段と称する。）
【００１４】
上記第１の課題解決手段による作用は次の通りである。すなわち、前記色素層は前記反射層に隣接して設けられるとともに、前記色素層と前記保護層との間に前記色素層と隣接して該色素層の変形を受容する変形受容層を備えるので、熱により色素層が容易に変形して開口を生じさせることができるので、低いパワーのレーザ光照射においても高いコントラストの視覚イメージを描画することができる。
【００１５】
また、上記第２の課題解決手段による作用は次の通りである。すなわち、前記変形受容層は、前記保護層よりも低い融点を有する透明樹脂材料からなるので、前記レーザー光照射により前記変形受容層に前記色素層とともに変形を生じても前記保護層に影響を及ぼすことがない。このため、レーベル面の傷付きや劣化を防止しつつ、保護層に変形を与えるような大きなパワーのレーザ光を照射しなくとも前記色素層に該色素層を厚み方向に貫通する開口を生じさせることができる。
【００１６】
また、上記第３の課題解決手段による作用は次の通りである。すなわち、前記色素層はレーザ光照射による隣接する反射層の発熱により分子構造の実質な変化なしに溶融し、変形するので、より低いパワーのレーザ光照射で描画することができる。
【００１７】
また、上記第４の課題解決手段による作用は次の通りである。すなわち、前記色素層はレーザ光照射による隣接する反射層の発熱により前記色素層中の有機物が溶融して該色素層を貫通する開口を生じることにより可視情報が記録されるので、加熱温度にバラツキが生じた場合であっても、高いコントラストの描画を得ることができる。
【００１８】
また、上記第５の課題解決手段による作用は次の通りである。すなわち、前記色素層は発熱物質を含有し、レーザ光照射による隣接する反射層の発熱により前記色素層中の発熱物質が発熱するので、レーザー光照射により隣接する反射層から供給された熱に比較してより大きな発熱を得ることができるので、より低いレーザーパワーで描画することができる。
【００１９】
また、上記第６の課題解決手段による作用は次の通りである。すなわち、前記色素層はロイコ化合物からなる発色剤と顕色剤とを含有するので、低いレーザーパワーであっても高いコントラストの描画を得ることができる。
【００２０】
また、上記第７の課題解決手段による作用は次の通りである。すなわち、前記半透過反射層と前記反射層との間に透明な中間層（接着剤層及び／又は第２の透光性基板）を有するので、反射膜に描画記録用のレーザ光を照射する際に、データ記録部に影響が及ぶのを防止することができる。
【発明の効果】
【００２１】
本発明の光情報記録媒体によれば、低いパワーのレーザ光照射であっても前記色素層中の有機物が溶融して該色素層を貫通する開口を生じるために、高コントラストの視覚イメージを描画することができる。本発明の前記目的とそれ以外の目的、構成特徴、作用効果は、以下の説明と添付図面によって明らかとなろう。
【発明を実施するための最良の形態】
【００２２】
以下、本発明の光情報記録媒体の第１の実施形態について、図１を参照して説明する。図１は第１の実施形態の光情報記録媒体２０の内部構造を示す部分拡大断面図である。  
【００２３】
図１に示すように、本実施形態の光情報記録媒体２０は、データ記録部Ａと描画記録部Ｂとが接着剤層２１により貼り合わされた構造を有する。  
【００２４】
具体的には、第１の透光性基板１１と、該第１の透光性基板１１の一方の面側に記録層１２と半透過反射層１３と反射層１５と色素層１７と保護層１９とをこの順に有し、前記第１の透光性基板１１の他方の面側から前記記録層１２にレーザ光を照射することにより情報を記録及び／又は再生可能な光情報記録媒体２０であって、前記色素層１７は前記反射層１５に隣接して設けられるとともに、前記色素層１７と前記保護層１９との間に前記色素層１７と隣接して該色素層１７の変形を受容する変形受容層１８を備えるものである。より具体的には、前記データ記録部Ａは、中心に孔を有し一方の面にデータ記録及び／又は再生時のトラッキングガイド用の螺旋状溝２２が設けられた円環状の第１の透光性基板１１と、該第１の透光性基板１１の一方の面側にデータ記録層１２と半透過反射層１３とをこの順に有する。また、前記描画記録部Ｂは、中心に孔を有し一方の面に描画記録時のトラッキングガイド用の螺旋状溝２３が設けられた円環状の第２の透光性基板１４と、該第２の透光性基板１４の前記一方の面側に反射層１５と色素層１７と変形受容層１８と保護層１９とをこの順に有する。
【００２５】
また、本実施形態の光情報記録媒体２０は、前記変形受容層１８が前記保護層１９よりも低い融点を有する透明樹脂材料からなる。
【００２６】
また、本実施形態の光情報記録媒体２０は、前記色素層１７がレーザ光照射による隣接する反射層１５の発熱により分子構造の実質な変化なしに溶融し、変形する。
【００２７】
また、本実施形態の光情報記録媒体２０は、前記色素層１７がレーザ光照射による隣接する反射層１５
の発熱により前記色素層１７中の有機物が溶融して該色素層１７を貫通する開口Ｏを生じることにより可視情報が記録される。
【００２８】
また、本実施形態の光情報記録媒体２０は、前記色素層１７がロイコ化合物からなる発色剤と顕色剤とを含有する。
【００２９】
また、本実施形態の光情報記録媒体２０は、前記半透過反射層１３と前記反射層１５との間に透明な中間層を有する。具体的には、該中間層は接着剤層２１及び／又は第２の透光性基板１４である。本実施形態の光情報記録媒体２０は、前記第２の透光性基板１４上に反射層１５、色素層１７と保護層１９とをこの順に有し、レーベル面側からは透明な保護層１９を通して色素層１７を望むことができる。
【００３０】
次に、上記第１の透光性基板１１の好ましい実施形態は次の通りである。すなわち、上記第１の透光性基板１１としては、例えばポリカーボネート系樹脂、アクリル系樹脂、メタクリル系樹脂、ポリスチレン系樹脂、塩化ビニル樹脂、エポキシ樹脂、ポリエステル樹脂、非晶質ポリオレフィン樹脂等を用いることができ、ポリカーボネート系樹脂が透明性が高いためより好ましい。上記第１の透光性基板１１の形成は、射出成形等の方法で所定の形状（光ディスクならドーナツ形状）の基板に成形されたものが好ましい。また、該基板の成形と同時に該基板の一方の面にデータ記録及び／又は再生時のトラッキングガイド用の螺旋状溝が設けられることが好ましい。また、これに限るものではなく、例えば紫外線硬化性樹脂を用いて、基台上に塗布し塗膜を硬化させて用いることもできる。
【００３１】
次に、上記データ記録層１２の好ましい実施形態は次の通りである。すなわち、上記データ記録層１２としては、有機色素を含むものであり、所定の波長のレーザ光の照射によりピットが形成されデータが記録される。前記有機色素としてはフタロシアニン、シアニン、アゾ系色素が好ましい。該記録層１２には、色素層１７を発熱させるレーザ光と同じかまたは異なる波長のレーザ光の照射により音楽や画像、コンピュータプログラム等のデータ情報を記録及び／又は再生することができる。上記データ記録層１２は、上記第１の透光性基板１１の一方の面側に上記螺旋状溝２２を被覆するように、スピンコート法等により塗布形成されることが好ましい。
【００３２】
次に、上記半透過反射層１３の好ましい実施形態は次の通りである。すなわち、上記半透過反射層１３としては、上記第１の透光性基板１１側から照射されたデータの記録および／または再生用のレーザ光を反射し、上記第１の透光性基板１１側から照射された描画の記録用のレーザ光を通過させるものであり、金属（例えばＡｇ，Ａｇ合金、Ａｌ等）膜もしくは屈折率の異なる酸化膜を積層させた誘電体多層膜が用いられる。上記半透過反射層１３は、上記データ記録層１２上に該記録層１２を被覆するように例えば蒸着法、イオンプレーティング法、スパッタリング法、等により形成することができる。中でも、量産性、コストの面からスパッタリング法が特に好ましい。ＤＶＤのデータ記録用レーザ光の反射率および描画記録用レーザ光の透過率をより高めるため、金属膜の材質や厚みを制御した誘電体多層膜を適宜選択して用いることが好ましい。また、上記半透過反射層１３と上記データ記録層１２は、ＤＶＤ＋ＲのＤｕａｌ規格におけるＬ０層に相当する構成で実現することもできる。
【００３３】
次に、上記透明な中間層の好ましい実施形態は次の通りである。すなわち、上記透明な中間層としては、接着剤層２１及び又は第２の透光性基板１４により構成することが好ましい。上記透明な中間層の厚さは、前記第１の透光性基板１１側から照射されるデータの記録及び／又は再生用のレーザ光と前記第１の透光性基板１１側から照射される描画記録用のレーザ光との焦点距離による識別を容易するために、使用されるレーザ光に応じて適宜設定することが好ましい。
【００３４】
次に、上記接着剤層２１の好ましい実施形態は次の通りである。すなわち、上記接着剤層２１としては、上記中間層を接着剤層２１と第２の透光性基板１４とで構成する場合に、前記半透過反射層１３と前記第２の透光性基板１４とを接着する役割を果たすもので、エポキシ系接着剤及びアクリル系接着剤等が好ましく、スピンコート法等により形成されることが好ましい。
【００３５】
次に、上記第２の透光性基板１４の好ましい実施形態は次の通りである。すなわち、上記第２の透光性基板１４としては、前記第１の透光性基板１１と同じ材質を用いることができる。これによりＤＶＤ−Ｒの貼り合わせ工程を流用して第１の透光性基板１１上に作成したデータ記録部Ａと第２の透光性基板１４上に形成した描画記録部Ｂとを一体化できる。また第２の透光性基板１４は、データ記録部Ａの記録層１２と描画記録部Ｂの反射層１５との距離を確保する役割を果たす。このため、例えば該第２の透光性基板１４の厚みは、レーザ光入射面である第１の透光性基板１１から保護層１９までの距離が例えばＣＤ−Ｒ規格相当になるように調整することにより、データ記録部Ａの記録層１２および描画記録部Ｂの発熱層１７に照射される各々のレーザ光が独立して良好に集光できる。また、レーザ光照射によりデータ記録部Ａの記録層１２および描画記録部Ｂの反射層１７のそれぞれで発せられる熱の影響を分離することができる。また、上記第２の透光性基板１４の一方の面には描画記録時のトラッキングガイド用の螺旋状溝２３が設けられることが好ましい。
【００３６】
次に、上記反射層１５の好ましい実施形態は次の通りである。すなわち、上記反射層１５としては、例えばＡｕ，Ａｌ，Ａｇ，Ｃｕ，Ｔｉ，Ｃｒ，Ｎｉ，Ｐｔ等の金属を単独あるいは合金にして用いることが可能である。中でも、Ｔｉ、Ｎｉは熱伝導性が低く上記反射層として適する。上記反射層１５は、上記第２の透光性基板１４上に例えば蒸着法、イオンプレーティング法、スパッタリング法、等により形成することができる。中でも、量産性、コストの面からスパッタリング法が特に好ましい。この反射層１５に照射されたレーザ光のうち一部を反射して光記録装置に返すことにより、描画記録時の安定なフォーカス制御を可能にする。また、該反射層１５は、この反射層１５に照射されたレーザ光のうち一部を吸収して発熱し、発生した熱を該反射層１５に隣接する色素層１７に伝導させる。また、上記反射層１５は、前記第２の透光性基板１４の一方の面に描画記録時のトラッキングガイド用の螺旋状溝２３が設けられている場合においては、該螺旋状溝２３を被覆するように形成されることが好ましい。  
【００３７】
次に、上記色素層１７の好ましい実施形態は次の通りである。すなわち、上記色素層１７としては、ロイコ化合物等の発色剤と顕色剤とを含有するアモルファス構造を有するものが好ましく、溶融した際に反射層１５からの表面張力によるはじきが良好に生じるためには、ロイコ化合物からなる発色剤と顕色剤とを含有するものがより好ましい。また、上記色素層１７の厚みは、２００ｎｍ以下が好ましく、１００ｎｍ程度がより好ましい。また、上記色素層１７の形成は、前記反射層１５上にスピンコート法により塗布して塗膜を形成するのが好ましい。また、上記色素層１７としては、１５０℃前後の比較的低温で該色素層中の有機物が溶融するものが好ましい。該色素層１７は、前記第１の透光性基板１１側から照射された前記描画の記録用のレーザ光の一部を吸収して発熱した反射層からの熱伝導により溶融し、前記反射層１５の表面張力等により該反射層表面からはじかれて開口を生じるように変形する。また、上記色素層は、発熱物質を含有し、レーザ光照射による隣接する反射層の発熱により前記色素層中の発熱物質が発熱するものであってもよい。前記色素層に含有させる発熱物質としては、物質の元の状態からレーザ光照射により隣接する前記反射層の発熱により活性化状態となって反応が生じ、これに伴って熱を発する物質が好ましく、例えば、アゾ化合物、アクリル系化合物、メタクリル系化合物、不飽和炭化水素化合物等が好ましい。
【００３８】
次に、上記変形受容層１８の好ましい実施形態は次の通りである。すなわち、上記変形受容層１８としては、保護層１９よりも低い融点を有する透明樹脂材料からなるものが好ましい。具体的には、ＰＭＭＡ（ポリメチルメタクリレート）、ポリ酢酸ビニル、ポリスチレン、ポリエステル等が好ましい。上記変形受容層１８の厚みは１００ｎｍ〜１５００ｎｍが好ましい。また、該変形受容層１８は、前記色素層１７上にスピンコート法により塗布して塗膜を形成するのが好ましい。また、上記変形受容層１８は、前記保護層１９に比べてその表面硬度が低いものが好ましい。また、上記変形受容層１８は、前記保護層１９に比べて弾力性に富むものが好ましい。また、上記変形受容層１８として、多数の空隙を有するものを用いることもできる。上記変形受容層１８は、上記色素層１７中の有機物が熱により溶融した際に、該色素層１７の変形を受容する。このため、該色素層１７中の有機物が溶融し、前記反射層１５の表面張力等により該反射層表面からはじかれて該色素層１７を厚み方向に貫通する開口を生じるように変形するのを受容し、該色素層１７の変形により生じた開口を上記透明な樹脂材料からなる変形受容層１８で埋めるように働く。これにより、上記色素層１７には、前記記録層１２にデータ記録される音楽情報、画像情報、プログラム等に対応するタイトルやインデックス等を高いコントラストで視認可能な描画情報として記録することができる。また、上記変形は、開口を有するものに限定するものではなく、例えば、前記描画記録用に照射されるレーザ光のパワーを調整することにより、前記色素層１７の表面の前記開口と異なる位置に凹凸を生じさせることができる。これにより、前記開口に基づく高いコントラストの描画中に前記凹凸に基づく中間トーンを設けることができる。上記色素層１７の開口や凹凸等の変形は、該色素層１７に隣接して変形受容層１８が存在することにより可能となる。
【００３９】
次に、上記保護層１９の好ましい実施形態は次の通りである。すなわち、上記保護層１９としては、アクリル系紫外線硬化樹脂や溶剤可溶型高分子樹脂等の透明樹脂で構成され、前記色素層１７や変形受容層１８を有するレーベル面側の劣化等を防ぐ。また、上記保護層１９は、前記変形受容層１８を被覆するようにスピンコート法等により形成されることが好ましい。
【００４０】
次に、本実施形態の光情報記録媒体２０の描画記録のメカニズムについて、図２を用いて説明する。図２は第１の実施形態の光情報記録媒体２０の部分拡大断面図であり、図２（ａ）は描画記録用のレーザ光の照射前の状態を示し、図２（ｂ）は描画記録用のレーザ光の照射により開口Ｏが生じた状態を示し、図２（ｃ）はさらに描画記録用レーザ光を調整して前記開口Ｏに隣接して凹凸Ｒが生じた状態を示すものである。
【００４１】
本実施形態の光情報記録媒体２０は、図２（ａ）に示されるように、描画記録部Ｂの第２の透光性基板１４の一方の面側に反射層１５とこれに隣接する変形受容層１８と保護層１９とをこの順に有する。そして、描画記録用のレーザ光が前記第１の透光性基板１１の他方の面側からデータ記録層１２、半透過反射層１３、透明な接着剤層２１、第２の透光性基板１４をそれぞれ透過して前記反射層１５に照射され、該反射層１５が発熱する。該反射層１５の発熱した部分からの熱が隣接する前記色素層１７に伝導され、該色素層１７が加熱されて該色素層１７中の有機物である発色剤と顕色剤が溶融し、前記反射層１５の表面ではじかれて前記色素層１７に隣接する変形受容層１８側に一部が突出するようにして開口を伴う変形が生じる。また、このとき、該色素層１７の変形と並行して前記開口Ｏの内部に前記変形受容層１８の一部が侵入する。このように、上記色素層１７に開口Ｏを伴う変形を生じるので、開口部Ｏにおいてはレーベル面側から侵入した可視光が前記反射層１５で反射され、周囲の前記色素層１７が存在する部分と比較して明度の高い反射光が得られ、高コントラストの描画が形成される。
【００４２】
また、本実施形態の光情報記録媒体２０は、前記描画記録用の
レーザ光のパワーを抑制する、もしくはレーザ光の照射時間を短縮することにより、図２（ｃ）に示すように、前記色素層１７の表面を凹凸にして該色素層の厚みが部分的に薄くなる凹凸Ｒを設けることもでき、これによれば、前記高コントラストの描画に加えて、中間トーンの領域を設けることができる。
【００４３】
尚、データ記録部Ａの記録層１２に照射されるデータ記録用レーザ光と描画記録部Ｂの反射層１５に照射される描画記録用レーザ光は、焦点距離が異なるので、同じ波長のレーザ光を用いても、光記録装置の焦点制御によって互いに干渉しないようにすることができる。また、データ記録部Ａの記録層１２に照射されるデータ記録用レーザ光と描画記録部Ｂの反射層１５に照射される描画記録用レーザ光の光吸収特性（吸光度）を異ならせても良い。具体的には、前記吸光度のピーク差が７５ｎｍ、好ましくは１００ｎｍ、より好ましくは１２５ｎｍとしても良い。例えば、ＤＶＤであれば、記録用のレーザ光の波長は一般的に６６０ｎｍ前後であるから、描画記録用のレーザ光の波長は７８５ｎｍのものが使用可能である。
【００４４】
また、ＤＶＤ±ＲとＣＤ−Ｒとの両方に記録できる光記録装置、所謂マルチドライブでは、ＤＶＤ±Ｒ用のレーザ光源とＣＤ−Ｒ用のレーザ光源との両方の光源を具備したものがある。このようなマルチドライブを用いる場合、両方の光源を利用することによりデータ記録部Ａの記録層１２へのデータ記録と同時に描画記録部Ｂの反射層１５へのレーザ照射が可能になる。このようなことは、図示省略した光記録装置を制御するソフトウェアによって実施することが可能となる。
【００４５】
次に、本実施形態の光情報記録媒体２０の描画記録の他の例について、図３を参照して説明する。図３は本実施形態の光情報記録媒体２０の描画記録の他の例を説明するための部分拡大断面図である。
【００４６】
本実施形態の光情報記録媒体２０の上述した描画記録においては、前記第１の透光性基板１１の他方の面側から描画記録用のレーザ光を照射したが、本実施形態の光情報記録媒体２０の描画記録はこれに限定するものではない。例えば、図３に示すように、描画記録部Ｂのレーベル面側から描画記録用のレーザ光を照射することにより、保護層１９、変形受容層１８及び色素層１７を透過した前記レーザ光の一部が前記反射層１５にて吸収され、該反射層１５が発熱して隣接する色素層１７にその熱が伝導される。これにより、前記と同様に該色素層１７に開口Ｏを伴う変形が生じ、高コントラストの描画が得られる。
【００４７】
次に、本発明の第２の実施形態の光情報記録媒体４０について、図４を参照して説明する。図４は第２の実施形態の光情報記録媒体４０の内部構造を説明するための部分拡大断面図である。  
【００４８】
本実施形態の光情報記録媒体４０は、図４に示すように、データ記録部Ａと描画記録部Ｂとが接着剤層４１により貼り合わされた構造を有する。  
【００４９】
具体的には、第１の透光性基板３１と、該第１の透光性基板３１の一方の面側に記録層３２と半透過反射層３３と反射層３５と色素層３７と保護層３９とをこの順に有し、前記第１の透光性基板３１の他方の面側から前記記録層３２にレーザ光を照射することにより情報を記録及び／又は再生可能な光情報記録媒体４０であって、前記色素層３７は前記反射層３５に隣接して設けられるとともに、前記色素層３７と前記保護層３９との間に前記色素層３７と隣接して該色素層３７の変形を受容する変形受容層３８を備えるものである。より具体的には、前記データ記録部Ａは、一方の面にデータ記録及び／又は再生時のトラッキングガイド用の螺旋状溝４２が設けられた第１の透光性基板３１と、該第１の透光性基板３１の一方の面側にデータ記録層３２と半透過反射層３３とをこの順に有する。また、前記描画記録部Ｂは、一方の面に描画記録時のトラッキングガイド用の螺旋状溝４３が設けられた第２の透光性基板３４と、該第２の透光性基板３４の前記一方の面側に反射層３５と色素層３７と変形受容層３８と保護層３９とをこの順に有する。
【００５０】
また、本実施形態の光情報記録媒体４０は、前記変形受容層３８が前記保護層３９よりも低い融点を有する透明樹脂材料からなる。
【００５１】
また、本実施形態の光情報記録媒体４０は、前記色素層３７がレーザ光照射による隣接する反射層３５の発熱により分子構造の実質的な変化なしに熱により溶融し、変形する。
【００５２】
また、本実施形態の光情報記録媒体４０は、前記色素層３７がレーザ光照射による隣接する反射層３５の発熱により前記色素層３７中の有機物が溶融して該色素層３７を貫通する開口を生じることにより可視情報が記録される。
【００５３】
また、本実施形態の光情報記録媒体４０は、前記色素層３７が発熱物質を含有し、レーザ光照射による隣接する反射層の発熱により前記色素層３７中の発熱物質が発熱する。
【００５４】
また、本実施形態の光情報記録媒体４０は、前記色素層３７はロイコ化合物からなる発色剤と顕色剤とを含有する。
【００５５】
また、本実施形態の光情報記録媒体４０は、前記半透過反射層３３と前記反射層３５との間に透明な中間層を有する。具体的には、該中間層は接着剤層４１及び／又は第２の透光性基板３４である。本実施形態の光情報記録媒体４０は、前記第２の透光性基板３４上に反射層３５、色素層３７’（発熱物質含有）、変形受容層３８と保護層３９とをこの順に有し、レーベル面側から透明な保護層３９を通して前記色素層３７’を望むことができる。
【００５６】
本実施形態の光情報記録媒体４０が先の第１の実施形態の光情報記録媒体２０と異なる点は、前記色素層３７’が発熱物質を含有する点にある。これによれば、レーザ光照射により隣接する反射層３５から供給された熱に比較してより大きな発熱を得ることができるので、より低いパワーのレーザ光照射で描画することができる。その他の構成・作用効果は先の第１の実施形態と同様であるため説明を省略する。
【００５７】
次に、本発明の第３の実施形態の光情報記録媒体６０について、図５を参照して説明する。図５は第３の実施形態の光情報記録媒体６０の内部構造を説明するための部分拡大断面図である。  
【００５８】
本実施形態の光情報記録媒体６０は、図５に示すように、データ記録部Ａと描画記録部Ｂとが接着剤層６１により貼り合わされた構造を有する。  
【００５９】
具体的には、第１の透光性基板５１と、該第１の透光性基板５１の一方の面側に記録層５２と半透過反射層５３と反射層５５と色素層５７と保護層５９とをこの順に有し、前記第１の透光性基板５１の他方の面側から前記記録層５２にレーザ光を照射することにより情報を記録及び／又は再生可能な光情報記録媒体６０であって、前記色素層５７は前記反射層５５に隣接して設けられるとともに、前記色素層５７と前記保護層５９との間に前記色素層５７と隣接して該色素層５７の変形を受容する変形受容層５８を備えるものである。より具体的には、前記データ記録部Ａは、一方の面にデータ記録及び／又は再生時のトラッキングガイド用の螺旋状溝６２が設けられた第１の透光性基板５１と、該第１の透光性基板５１の一方の面側にデータ記録層５２と半透過反射層５３とをこの順に有する。また、前記描画記録部Ｂは、表面に描画記録時のトラッキングガイド用の螺旋状溝を有さない第２の透光性基板５４と、該第２の透光性基板５４の前記一方の面側に反射層５５と色素層５７と変形受容層５８と保護層５９とをこの順に有する。
【００６０】
また、本実施形態の光情報記録媒体６０は、前記変形受容層５８が前記保護層５９よりも低い融点を有する透明樹脂材料からなる。
【００６１】
また、本実施形態の光情報記録媒体６０は、前記色素層５７がレーザ光照射による隣接する反射層５５の発熱により分子構造の実質な変化なしに溶融し、変形する。
【００６２】
また、本実施形態の光情報記録媒体６０は、前記色素層５７がレーザ光照射による隣接する反射層の発熱により前記色素層５７中の有機物が溶融して該色素層５７を貫通する開口Ｏを生じることにより可視情報が記録される。
【００６３】
また、本実施形態の光情報記録媒体６０は、前記色素層５７はロイコ化合物からなる発色剤と顕色剤とを含有する。
【００６４】
また、本実施形態の光情報記録媒体６０は、前記半透過反射層５３と前記反射層５５との間に透明な中間層を有する。具体的には、該中間層は接着剤層６１及び／又は第２の透光性基板５４である。本実施形態の光情報記録媒体６０は、前記第２の透光性基板５４上に反射層５５、色素層５７と保護層５９とをこの順に有し、レーベル面側から透明な保護層５９を通して色素層５７を望むことができる。
【００６５】
本実施形態の光情報記録媒体６０が先の第１の実施形態の光情報記録媒体２０と異なる点は、前記第２の透光性基板５４に描画記録時のトラッキングガイド用の螺旋状溝を有さない点である。本実施形態においては、データ記録部の記録・再生時のトラッキングガイド用の螺旋状溝を描画記録時のトラッキングガイド用に併用して位置検出を行うものである。その他の構成・作用効果は先の第１の実施形態と同様であるため説明を省略する。
【００６６】
（変形例）尚、上記各実施形態において、描画記録部Ｂの反射層を半透過反射層に変更するとともに、レーザ光を吸収して発熱する物質を前記色素層に含有させてもよい。こうすることにより、低いパワーのレーザ光照射で描画をすることができる。レーザ光を吸収して発熱する物質としては、アゾ系色素、シアニン系色素、フタロシアニン系色素等が好ましい。また、描画記録部Ｂへのレーザ光照射を前記レーベル面側から行うものにおいては、上記と同様に、レーザ光を吸収して発熱する物質を前記色素層に含有させてもよい。こうすることにより、レーベル面側から低いパワーのレーザ光照射で描画をすることができる。
【００６７】
尚、上記実施形態では、ＤＶＤ±Ｒディスク構造の光情報記録媒体を示したが、本発明はこれに限定するものではなく、ＣＤ−ＲやＨＤ−ＤＶＤ、ブルーレイディスクその他各種の光情報記録媒体に適用することができる。
【図面の簡単な説明】
【００６８】
【図１】本発明の光情報記録媒体の第１の実施形態の内部構造を示す部分拡大断面図である。
【図２】上記実施形態の光情報記録媒体の描画記録を説明するための部分拡大断面図である。
【図３】上記実施形態の光情報記録媒体の描画記録の他の例を説明するための部分拡大断面図である。
【図４】本発明の光情報記録媒体の第２の実施形態の内部構造を示す部分拡大断面図である。
【図５】本発明の光情報記録媒体の第３の実施形態の内部構造を示す部分拡大断面図である。
【図６】背景技術の一例を示す部分拡大断面図である。
【符号の説明】
【００６９】
１１：第１の透光性基板１２：データ記録層１３：半透過反射層１４：第２の透光性基板１５：反射層１７：色素層（描画記録層）１８：変形受容層１９：保護層２０：光情報記録媒体２１：接着剤層２２：螺旋状溝２３：螺旋状溝３１：第１の透光性基板３２：データ記録層３３：半透過反射層３４：第２の透光性基板３５：反射層３７’：色素層（発熱物質含有）３８：変形受容層３９：保護層４０：光情報記録媒体４１：接着剤層４２：螺旋状溝４３：螺旋状溝５１：第１の透光性基板５２：データ記録層５３：半透過反射層５４：第２の透光性基板５５：反射層５７：色素層５８：変形受容層５９：保護層６０：光情報記録媒体６１：接着剤層６２：螺旋状溝Ａ：データ記録部Ｂ：描画記録部
【図１】
2008186507.tif 000003
【図２】
2008186507.tif 000004
【図３】
2008186507.tif 000005
【図４】
2008186507.tif 000006
【図５】
2008186507.tif 000007
【図６】
2008186507.tif 000008